(57)【要約】【課題】遮蔽装置が単にセキュリティガードの機能を有するのみならず、この遮蔽装置を有効に活用し、顧客に対し各種のＰＲのサービスを提供できるようにした小型入力機用遮蔽装置を提供すること。【解決手段】本体の表側に個人識別情報等の数字や記号等を入力する入力部及び該入力部からの入力情報等を表示する表示部を有した小型入力機に用いられ、前記表示部の周囲に立設された遮蔽板によりセキュリティガードを図った小型入力機用遮蔽装置において、前記遮蔽板を少なくとも正面側から目視可能なＰＲ表示部とする。とくに、前記遮蔽板を、前記表示部の後側に位置する後板と、該後板に連接され前記表示部の左右側に位置する一対の側板とで形成し、前記ＰＲ表示部を少なくとも前記後板側において着脱自在に設けたＰＲ表示手段により構成する。【選択図】        図１
2004318347.tif 000002
【特許請求の範囲】
【請求項１】
本体の表側に個人識別情報等の数字や記号等を入力する入力部及び該入力部からの入力情報等を表示する表示部を有した小型入力機に用いられ、前記表示部の周囲に立設された遮蔽板によりセキュリティガードを図った小型入力機用遮蔽装置において、前記遮蔽板を少なくとも正面側から目視可能なＰＲ表示部としたことを特徴とする小型入力機用遮蔽装置。
【請求項２】
前記遮蔽板は、前記表示部の後側に位置する後板と、該後板に連接され前記表示部の左右側に位置する一対の側板とから成り、前記ＰＲ表示部は少なくとも前記後板側において着脱自在に設けられたＰＲ表示手段により構成されていることを特徴とする請求項２に記載の小型入力機用遮蔽装置。
【請求項３】
前記ＰＲ表示手段は、表面にＰＲ表示シートを貼着可能な、又はＰＲ表示印刷が可能なボードであることを特徴とする請求項２に記載の小型入力機用遮蔽装置。
【請求項４】
前記ＰＲ表示手段は、内部にＰＲ表示シートを挿入可能なケースであることを特徴とする請求項２に記載の小型入力機用遮蔽装置。
【請求項５】
前記ＰＲ表示手段は、内部にＰＲ表示シートを差込み可能なボックスであることを特徴とする請求項２に記載の小型入力機用遮蔽装置。
【請求項６】
前記ＰＲ表示手段は、プラスチック材により一体成形されていることを特徴とする請求項３ないし請求項５のいずれかに記載の小型入力機用遮蔽装置。
【請求項７】
前記プラスチック材は透明ないし半透明であることを特徴とする請求項６に記載の小型入力機用遮蔽装置。
【発明の詳細な説明】
【０００１】
【発明の属する技術分野】
本発明は、個人識別情報等を入力する小型入力機に取り付けられる小型入力機用遮蔽装置に関し、さらに詳細には、遮蔽部をＰＲ用に有効活用した小型入力機用遮蔽装置に関する。
【０００２】
【従来の技術】
小型入力機、例えば、小売店等の店舗とカード会社や金融機関との間で通信回線を介して顧客の利用代金に係る処理を行なう取式システムに用いられる所謂ピンパットと呼ばれるものが公知である。
【０００３】
すなわち、この小型入力機Ｋは、図６に斜視図で示すように、略直方体状の本体２と、本体２の後側に設けられクレジットカード、デビットカード、ＩＣカード等のカードのデータを読み込むカード挿入部３と、本体２の表側の前側に設けられ個人識別情報等の数字や記号等を入力するテンキー等の押しボタン群から成る入力部４と、カード挿入部３と入力部４との間に設けられ入力部４からの入力情報等を液晶表示する表示部５を備え、底面７の後側に脚部６が突設され、この脚部６及び本体２の底面７の前端を接地させて表側を入力者に操作させ易いように傾斜させて載置できるようになっている。
【０００４】
ところが、このような小型入力機Ｋでは、入力部４から暗証番号等の個人識別情報を入力する際、近隣の顧客や店舗従業員等から表示部５を見られてその内容が知られてしまうことがあり、個人識別情報が第三者に漏洩する危険性をはらんでいた。
【０００５】
そこで、このように表示部５を入力者以外の人から見られないようにするため、図６に仮想線（二点鎖線）で示すように、小型入力機Ｋの表示部５の周囲に、遮蔽板１０を立設し、セキュリティガードを図った小型入力機用の遮蔽装置Ｓが本出願人によって提案されている。すなわち、この遮蔽装置Ｓは、遮蔽板１０が表示部５の後側に位置する後板１１と、後板１１に連接設され表示部５の左右側に位置する一対の側板１２と、小型入力機Ｋの脚部６及び底面７を受けて載置する底板１３とから成り、後板１１と一対の側板１２とにより表示部５を遮蔽するようにしたものである。（例えば、特許文献１参照。）。
【０００６】
【特許文献１】
特開２００２−２２２４６６号公報（段落番号「０００９」〜「００１０」、図１）
【０００７】
【発明が解決しようとする課題】
しかし、この遮蔽装置Ｓは、セキュリティガードを目的とし、レジカウンターの什器として設けられていたものであったため、このような遮蔽装置Ｓを備えた小型入力機Ｋが顧客によって使用されていない場合には、店舗等の狭いカウンターの上のスペースを占有し、場合によっては無用の障害物となる心配があった。
【０００８】
本発明は、上述したような実情に鑑みなされたもので、遮蔽装置が単にセキュリティガードの機能を有するのみならず、この遮蔽装置を有効に活用し、顧客に対し各種のＰＲのサービスを提供できるようにした小型入力機用遮蔽装置を提供することを目的とする。
【０００９】
【課題を解決するための手段】
本発明の上記目的は、本体の表側に個人識別情報等の数字や記号等を入力する入力部及び該入力部からの入力情報等を表示する表示部を有した小型入力機に用いられ、前記表示部の周囲に立設された遮蔽板によりセキュリティガードを図った小型入力機用遮蔽装置において、前記遮蔽板を少なくとも正面側から目視可能なＰＲ表示部としたことを特徴とする小型入力機用遮蔽装置を提供することにより達成される。
【００１０】
また、本発明の上記目的は、前記遮蔽板は、前記表示部の後側に位置する後板と、該後板に連接され前記表示部の左右側に位置する一対の側板とから成り、前記ＰＲ表示部は少なくとも前記後板側において着脱自在に設けられたＰＲ表示手段により構成されていることを特徴とする小型入力機用遮蔽装置を提供することにより、より効果的に達成される。
【００１１】
また、本発明の上記目的は、前記ＰＲ表示手段は、表面にＰＲ表示シートを貼着可能な、又はＰＲ表示印刷が可能なボードであることを特徴とする小型入力機用遮蔽装置を提供することにより、より効果的に達成される。
【００１２】
また、本発明の上記目的は、前記ＰＲ表示手段は、内部にＰＲ表示シートを挿入可能なケースであることを特徴とする小型入力機用遮蔽装置を提供することにより、より効果的に達成される。
【００１３】
また、本発明の上記目的は、前記ＰＲ表示手段は、内部にＰＲ表示シートを差込み可能なボックスであることを特徴とする小型入力機用遮蔽装置を提供することにより、より効果的に達成される。
【００１４】
また、本発明の上記目的は、前記ＰＲ表示手段は、プラスチック材により一体成形されていることを特徴とする小型入力機用遮蔽装置を提供することにより、より効果的に達成される。
【００１５】
さらにまた、本発明の上記目的は、前記プラスチック材は透明ないし半透明であることを特徴とする小型入力機用遮蔽装置を提供することにより、より効果的に達成される。
【００１６】
【発明の実施の形態】
以下、添付図面に基いて本発明の実施の形態に係わる小型入力機用遮蔽装置を説明する。図１は、本発明の実施の形態に係わる小型入力機用の遮蔽装置１００Ｓにおいて、仮想線で示される小型入力機１００Ｋ及びＰＲ表示用ボード１５０が夫々矢印Ｙ１、Ｙ２の方向に装着されて使用される様子を示した斜視図であり、図２は装着後、すなわち使用時の状態を示す側断面図である。
【００１７】
ここに、小型入力機１００Ｋは前述した従来の小型入力機Ｋと実質的に同一であるので、以下では対応する構成部品について１００番台の番号を付すこことし、この構造についての説明は省略する。
【００１８】
本遮蔽装置１００Ｓは、本体１１０が小型入力機１００Ｋの表示部１０５の後側に位置する後板１１１と、この後板１１１に連接され前記表示部１０５の左右側に位置する一対の側板１１２と、小型入力機１００Ｋの脚部１０６及び底面１０７を受けて載置する底板１１３から成っている。なお、底板１１３の上面には小型入力機１００Ｋの底面１０７形状と合致する三角形状の段差１１４が形成されている。また、後板１１１の上方部における一対の側板１１２の各内面側にはＰＲ表示用ボード１５０を保持する断面がコの字状の保持部１１５が設けられている。一対の側板１１２は上端部が略円形状をなし、隣接する人に表示部１０５を覗き込まれない程度の高さに形成されている。以上のとおり構成された本体１１０は、不透明なプラスチック材により一体的に成形されている。このような材料を用いて本体１１０を一体成形することにより本遮蔽装置１００Ｓを安価に製造することができる。
【００１９】
本実施形態に用いられるＰＲ表示用ボード１５０は、例えばアクリル樹脂等から成る透明ないし半透明のプラスチック材により成形された矩形状の表示部１５１と、表示部１５１に連接され前記側板１１２の保持部１１５に保持される被保持部１５２とから成っている。なおこの表示部１５１と被保持部１５２とは１００°〜１２０°の交差角をもって屈曲して形成されている。
【００２０】
なお、本体１１０及び／又はＰＲ表示用ボード１５０は、上述したようなプラスチック材であることが製造コスト等の面で好ましいが、このほか、例えば厚みの薄い金属板等により成形することも可能である。
【００２１】
このように形成されたＰＲ表示用ボード１５０は、図３に斜視図及び矢印Ｙ３で示すように、その表示部１５１に、例えばロゴマークや決済システム案内等の各種のＰＲ表示文字や絵柄等を印刷したＰＲ表示シートであるステッカー１５３を、少なくとも本小型入力機１００Ｋを使用する顧客の正面側から目視できるように貼着し、図１に矢印Ｙ２で示すように、被保持部１５２を側板１１２の保持部１１５に装着して使用される。
【００２２】
図２は、このようにＰＲ表示用のステッカー１５３を貼着したＰＲ表示用ボード１５０が本体１１０に装着され、小型入力機１００Ｋが所定の場所にセットされた状態を示している。なお、ＰＲ表示用ボード１５０の表示内容は、必要に応じ、ＰＲ表示用ボード１５０を本体１１０から引き出し、他の所望のステッカーに貼り変えることにより何回でも使用される。このときＰＲ表示用ボード１５０を透明ないし半透明とすることにより、ステッカー１５３を表裏どちらか側からでも貼着することができ、また貼着されたステッカー１５３を見ることができる。
【００２３】
以上のとおり構成された本遮蔽装置１００Ｓによれば、小型入力機１００Ｋを使用する場合には、本体１１０に立設された後板１１１、側板１１２及びＰＲ表示用ボード１５０によって小型入力機１００Ｋの表示部１０５が遮蔽されるので、本来のセキュリティガードができるのみならず、小型入力機１００Ｋの使用、不使用に拘らず、顧客に対しＰＲ用ボード１５０に貼着したＰＲ用のステッカー１５３を介して各種のＰＲ活動をすることができ、狭いカウンター周りであってもＰＲスペースとして有効に活用することができる。
【００２４】
なお、本実施形態ではＰＲ表示用ボード１５０の表示部１５１にステッカー１５３を貼着するようにしたが、この表示部１５１に例えばＰＲ用の文字や絵柄等をシルクスクリーン印刷等により直接印刷して用いることも可能である。
【００２５】
以上、本発明の内容をＰＲ表示手段がＰＲ表示用ボード１５０である場合について説明したが、本発明ではこのＰＲ表示手段を次のように変更することができる。
【００２６】
図４は、ＰＲ表示手段の他の実施形態に係わるもので、ＰＲ表示手段がＰＲ表示用ケース１６０である場合の斜視図である。すなわち、本ＰＲ表示用ケース１６０は、前記ＰＲ表示用ボード１５０と同様に、表示部１６１と被保持部１６２とから成っているが、表示部１６１が表板１６１ａと裏板１６１ｂとが合わさって内部にスリット１６１ｃが形成され、裏板１６１ｂの両端部には指先が入る程度の半円形の切欠き１６１ｂｓが設けられている。
【００２７】
一方、被保持部１６２は、表板１６２ａと裏板１６２ｂとが合わさって内部にスリット１６２ｃが形成されるようにして表示部１６１と６０°〜８０°の交差角をもって一体的に形成されている。この被保持部１６２は前述した本体１１０の側板１１２に設けられた保持部１１５に係合して装着され、装着されることにより前記ＰＲ用ボード１５０と略同一の傾斜角をもって小型入力機１００Ｋの表示部１０５を後側から遮蔽するようになっている。
【００２８】
このように構成されたＰＲ表示ケース１６０の表示部１６１には、図４に斜視図及び矢印Ｙ４で示すように、例えばＣＭ、キャンペーン等の案内を印刷したＰＲ表示シート１６３が表示部１６１のスリット１６１ｃに挿入される。なお、このＰＲ表示シート１６３は、切欠き１６１ｂｓから着脱されることにより、他のシートと取り替えられる。
【００２９】
以上とおり構成された本ＰＲ表示用ケース１６０によっても前記ＰＲ表示用ボード１５０と同様な効果が得られる。
【００３０】
図５は、ＰＲ表示手段のさらに他の実施形態に係わるもので、ＰＲ表示手段がＰＲ表示用ボックス１７０のである場合の斜視図である。本ＰＲ表示用ボックス１７０は、いわばリーフレットボックスともいうべきもので、前記ＰＲ表示用ケース１６０と同様に、表示部１７１と被保持部１７２とから成っており、被保持部１７２の構造は同一であるのに対し表示部１７１の構造が異なっている。すなわち、この表示部１７１は、表板１７１ａ、裏板１７１ｂ、側板１７１ｃ、背板１７１ｄとによってボックス型に形成され、図５に矢印Ｙ５で示すように、内部に、例えば入会申込書、パンフレット、三つ折りされた各種案内等の複数枚のＰＲ表示シート１７３を、必要に応じ筆記用具等を上方より差し込んで保管できるようになっている。なお、本ＰＲ表示用ボックス１７０は、前記同様に、本体１１０の所定の場所に装着されて使用される。
【００３１】
以上とおり構成された本ＰＲ表示用ケース１７０によっても前記ＰＲ表示用ケース１６０と同様な効果が得られる。とくにこのようにボックス型にすることにより、多量のＰＲ表示シートを保管できるので、顧客に対し一層のサービスをすることがができる。
【００３２】
以上に詳述したように、本発明においては、目視可能なＰＲ表示部は後板側において着脱自在に設けられたＰＲ表示手段によることが好ましいが、例えばロゴステッカーを側板の内面、あるいは外面に貼着する等により、セキュリティガードを目的とした遮蔽板の有効活用化を図ることも可能である。
【００３３】
なお、前記実施形態ではＰＲ表示手段を側板に対して着脱可能に設けたが、これを後板に対して同様に設けることも可能である。
【００３４】
また、ＰＲ表示部は遮蔽板、とくに後板の上方正面側に設けることが好ましいが、これを裏面側からでも目視できるように設けることも可能である。
【００３５】
【発明の効果】
以上のとおり、本発明によれば、遮蔽装置が単にセキュリティガードの機能を有するのみならず、この遮蔽装置を活用して、狭いカウンター周りに新しいＰＲスペースを創生することことができ、顧客に対し各種のＰＲのサービスを提供することができるという実用上顕著な効果を奏する。
【図面の簡単な説明】
【図１】本発明に係わる小型入力機用遮蔽装置の斜視図である。
【図２】図１の側断面図である。
【図３】ＰＲ表示手段の一例（ボード）を示す斜視図である。
【図４】ＰＲ表示手段の一例（ケース）を示す斜視図である。
【図５】ＰＲ表示手段の一例（ボックス）を示す斜視図である。
【図６】従来の小型入力機用遮蔽装置の斜視図である。
【符号の説明】
Ｋ、１００Ｋ              小型入力機
Ｓ、１００Ｓ              遮蔽装置
１１、１１１              後板
１２，１１２              側板
１３，１１３              底板
１１５                    保持部
１５０                    ＰＲ表示用ボード
１６０                    ＰＲ表示用ケース
１７０                    ＰＲ表示用ボックス
【図１】
2004318347.tif 000003
【図２】
2004318347.tif 000004
【図３】
2004318347.tif 000005
【図４】
2004318347.tif 000006
【図５】
2004318347.tif 000007
【図６】
2004318347.tif 000008